(57)【要約】【課題】  地図スクロールによる所望の目標地点の探索を容易化する。【解決手段】  画面タッチ式入力部４Ｃにより画面の地図の任意箇所をタッチすると、全体制御部１７は地図スクロールモードに移行し、地図表示制御部１３によりタッチ位置を中心とする地図画像を描画させる一方、制御部１７が描画した８方向スクロールキーと重ねて表示部４の画面４Ａに表示させる。ユーザが例えば画面タッチ式入力部４Ｃの東方向のスクロールキーをタッチし続け、東方向の地図スクロールの指示を続けたとき、全体制御部１７はまず地図表示制御部１３に東方向の地図スクロール開始指令を与えて画面の地図を西へ高速に移動させ、所定の連続移動時間経過した所で一時停止指令を与えて地図の移動を一時停止させる。そして、或る一時停止時間経過した所で再び画面の地図を西へ高速に移動させる。【選択図】        図２
2006215413.tif 000002
【特許請求の範囲】
【請求項１】
地図を表示する表示手段と、地図データを記憶した地図データ記憶手段と、ユーザが地図スクロールの指示操作をする地図スクロール指示操作手段と、地図スクロール指示操作手段での指示に従い地図データを用いて地図画像をスクロールさせながら表示手段に表示させる地図表示制御手段とを含む地図表示装置において、
地図スクロール指示操作手段により地図スクロールが指示されている間、地図表示制御手段は、地図画像をスクロールさせながら表示させるスクロール動作と、スクロールを或る時間だけ一時停止させて静止した地図を表示させる一時停止とを交互に切り換えるようにしたこと、
を特徴とする地図表示装置。
【請求項２】
スクロール動作では、所定の一定速度以上の高速スクロールを行うようにしたこと、
を特徴とする請求項１記載の地図表示装置。
【請求項３】
スクロールを一時停止させる前記或る時間をユーザが可変設定する設定手段を設けたこと、
を特徴とする請求項１記載の地図表示装置。
【請求項４】
地図スクロールが指示されている間の一時停止回数は最大ｎ回までに制限したこと、
を特徴とする請求項１記載の地図表示装置。
【請求項５】
地図スクロールが指示されている間、スクロール動作と一時停止とを一定の時間間隔で周期的に切り換えるようにしたこと、
を特徴とする請求項１または２記載の地図表示装置。
【請求項６】
地図スクロールの一時停止は、スクロールされている地図上での地理的特徴箇所が表示地図領域の中に入るか、表示地図領域の中心または境界から所定の一定範囲に入ったとき行われるようにしたこと、
を特徴とする請求項１または２記載の地図表示装置。
【請求項７】
地理的特徴箇所は、行政地域の境界、詳細地図存在領域の境界、インターチェンジ、サービスエリア、都道府県庁、ターミナル駅、湖畔、河畔の内の少なくとも１つを含むこと、
を特徴とする請求項６記載の地図表示装置。
【請求項８】
地図スクロールの一時停止中、地理的特徴箇所の案内情報を出力する案内手段を設けたこと、
を特徴とする請求項６または７記載の地図表示装置。
【請求項９】
ユーザが所望の地点を指定する指定手段と、指定地点の位置を記憶するユーザ指定地点記憶手段とを備え、地図描画手段は地図画像上にユーザ指定地点マークを合わせて描画するようにしてあり、
地図スクロールの一時停止は、スクロールされている地図上でのユーザ指定地点が表示地図領域の中に入るか、表示地図領域の中心または境界から所定の一定範囲に入ったとき行われるようにしたこと、
を特徴とする請求項１または２記載の地図表示装置。
【請求項１０】
地図スクロールの一時停止中、ユーザ指定地点の案内情報を出力する案内手段を設けたこと、
を特徴とする請求項９記載の地図表示装置。
【請求項１１】
地図スクロールの一時停止中、一時停止中であることをユーザに音で告知する告知手段を設けたこと、
を特徴とする請求項１記載の地図表示装置。
【請求項１２】
外部から道路交通情報を受信する道路交通情報受信手段と、
地図スクロールの一時停止中、表示地図領域内に関係する道路交通情報をユーザに案内する道路交通情報案内手段を設けたこと、
を特徴とする請求項１記載の地図表示装置。
【発明の詳細な説明】
【技術分野】
【０００１】
本発明は地図表示装置に係り、とくに地図スクロールによる目標地点の探索を容易に行える地図表示装置に関する。
【背景技術】
【０００２】
カーナビゲーション装置では、地図スクロール機能により画面に表示された地図を連続的に移動し所望の目標地点を地図上で容易に探索できるようになっている。地図の移動中は地図情報の視認性が低下するため、従来から地図スクロール機能では地図上の目標地点を見つけ易くするため種々の工夫がなされている。例えば、タッチ式スクロールキーがタッチされて地図スクロールが指示された直後はゆっくりと移動させ、スクロールキーのタッチ状態が続き地図スクロールの指示が長く続くにつれて段階的に速度を上げるようにしたり、タッチ式スクロールキーのタッチ圧力が小さいときはゆっくりと移動させ、タッチ圧力が大きくなるにつれて段階的に速度を上げるようにしたり、画面中心からタッチ位置までの距離が短い場合はゆっくりと移動させ、画面中心からタッチ位置までの距離が長くなるにつれて段階的に速度を上げるようにしている（図１参照）。
【０００３】
ところで、地図スクロールにより所望の目標地点を通り過ぎないようにするためには、地図スクロール途中でスクロールキーのタッチを止めて地図スクロールの指示を一旦解除し、地図を静止させ正確な地図情報を見て所望の目標地点が表示地図の中に入っていないか確認する必要がある。所望の目標地点がまだ画面になければ、再度地図スクロールを指示する。このため、従来は、地図スクロールの指示と解除を何度も繰り返す必要があり、操作が煩雑であった。
【０００４】
【特許文献１】特開平０６−１０５１４８号公報
【発明の開示】
【発明が解決しようとする課題】
【０００５】
本発明は上記した従来技術の問題に鑑み、地図スクロールによる所望の目標地点の探索を容易に行える地図表示装置を提供することを、その目的とする。
【課題を解決するための手段】
【０００６】
請求項１の発明は、地図を表示する表示手段と、地図データを記憶した地図データ記憶手段と、ユーザが地図スクロールの指示操作をする地図スクロール指示操作手段と、地図スクロール指示操作手段での指示に従い地図データを用いて地図画像をスクロールさせながら表示手段に表示させる地図表示制御手段とを含む地図表示装置において、地図スクロール指示操作手段により地図スクロールが指示されている間、地図表示制御手段は、地図画像をスクロールさせながら表示させるスクロール動作と、スクロールを或る時間だけ一時停止させて静止した地図を表示させる一時停止とを交互に切り換えるようにしたこと、を特徴としている。
請求項２の発明は、スクロール動作は、所定の一定速度以上の高速で行うようにしたこと、を特徴としている。
請求項３の発明は、地図スクロールを一時停止させる前記或る時間をユーザが可変設定する設定手段を設けたこと、を特徴としている。
請求項４の発明は、地図スクロールが指示されている間の一時停止回数は最大ｎ回までに制限したこと、を特徴としている。
請求項５の発明は、地図スクロールが指示されている間、スクロール動作と一時停止とを一定の時間間隔で定期的に切り換えるようにしたこと、を特徴としている。
請求項６の発明は、地図スクロールの一時停止は、スクロールされている地図上での地理的特徴箇所が表示地図領域の中に入るか、表示地図領域の中心または境界から所定の一定範囲に入ったとき行われるようにしたこと、を特徴としている。
請求項７の発明は、地理的特徴箇所は、行政地域の境界、詳細地図存在領域の境界、インターチェンジ、サービスエリア、都道府県庁、ターミナル駅、湖畔、河畔の内の少なくとも１つを含むこと、を特徴としている。
請求項８の発明は、地図スクロールの一時停止中、地理的特徴箇所の案内情報を出力する案内手段を設けたこと、を特徴としている。
請求項９の発明は、ユーザが所望の地点を指定する指定手段と、指定地点の位置を記憶するユーザ指定情報記憶手段とを備え、地図描画手段は地図画像上にユーザ指定地点マークを合わせて描画するようにしてあり、地図スクロールの一時停止は、スクロールされている地図上でのユーザ指定地点が表示地図領域の中に入るか、表示地図領域の中心または境界から所定の一定範囲に入ったとき行われるようにしたこと、を特徴としている。
請求項１０の発明は、地図スクロールの一時停止中、ユーザ指定地点の案内情報を出力する案内手段を設けたこと、を特徴としている。
請求項１１の発明は、地図スクロールの一時停止モード中、一時停止モードであることをユーザに音で告知する告知手段を設けたこと、を特徴としている。
請求項１２の発明は、外部から道路交通情報を受信する道路交通情報受信手段と、地図スクロールの一時停止中、表示地図領域内に関係する道路交通情報をユーザに案内する道路交通情報案内手段を設けたこと、を特徴としている。
【発明の効果】
【０００７】
本発明の地図表示装置によれば、地図スクロールが指示されている間に、地図スクロールが自動的に一時停止するためユーザが地図スクロール途中で地図スクロールの指示を解除しなくても、静止した地図画面の地図情報を正確に見てどこまでスクロールが進んだが、所望の目標地点が表示地図の中に入っていないか容易に確認でき、所望の目標地点の探索操作を容易に行える。
他の発明によれば、スクロール中の地図の地理的特徴地点またはユーザ指定地点が表示地図領域の中に入るか、表示地図領域の中心または境界から所定の一定範囲に入ったときに地図スクロールが一時停止するので、一時停止した表示地図がどの領域か直ぐに判断でき、目標地点との位置関係を容易に把握でき、目標地点への地図スクロール操作をより円滑に行える。
【発明を実施するための最良の形態】
【０００８】
カーナビゲーション装置の地図データ記憶部に記憶された地図データには、地図データには縮尺別（縮尺率の大きい方から全国図、地方図、地域図、詳細図の種類に分かれている）の地図描画用データのほか、ガソリンスタンド、コンビニエンスストア、レジャー施設、飲食店、会社、都道府県庁・市町村役場・ターミナル駅・高速道路のインターチェンジとサービスエリアなど各種施設・場所の名称と位置、都道府県単位の行政地域の名称及び境界線位置、湖の名称と湖畔境界線位置、主要河川の名称と河畔境界線位置、詳細地図存在領域の境界線位置を示すデータが付属している。地図スクロール制御情報記憶部に地図スクロール一時停止条件、地図スクロール一時停止中動作条件、一時停止時間（Ｔｓ）、最大一時停止回数（ｎ）を記憶しておく。地図スクロール一時停止条件、一時停止中動作条件、一時停止時間（Ｔｓ）、最大一時停止回数（ｎ）はユーザが設定可能であり、一時停止条件として、（１）スクロールと一時停止をユーザ設定時間間隔（Ｔｉ）で機械的に行う（２）スクロール中の地図上の都道府県単位の行政地域の境界、詳細地図存在領域の境界、高速道路のインターチェンジとサービスエリア、都道府県庁、ターミナル駅、湖畔と河畔の種目からユーザが選択した１以上の地理的特徴箇所が表示地図領域の中心から一定距離に来たときに一時停止する（３）スクロール中の地図上のユーザ指定地点が表示地図領域の中心から一定距離に来たときに一時停止する、が選択できる。（２）または（３）または（２）と（３）の両方を選択すると、スクロール中の地図上のユーザが選択した地理的特徴地点またはユーザ指定地点が表示地図領域の中に入るか、表示地図領域の中心または境界から所定の一定範囲に入ったときにスクロールが一時停止するので、一時停止した表示地図がどの領域か直ぐに判断でき、目標地点との位置関係を容易に把握できる。
また、一時停止中動作条件には、（ａ）一時停止中であることをビープ音でユーザに告知する・しない（ｂ１）一時停止条件が（２）、（３）の場合に一時停止した対象の地理的特徴箇所またはユーザ指定地点の名称、表示地図の中心から一時停止した対象の地理的特徴箇所またはユーザ指定地点までの距離と方向の案内情報を表示出力する・しない（ｂ２）一時停止条件が（２）、（３）の場合に一時停止した対象の地理的特徴箇所またはユーザ指定地点の名称、表示地図の中心から一時停止した対象の地理的特徴箇所またはユーザ指定地点までの距離と方向の案内情報を音声出力する・しない（ｃ）一時停止中に道路交通情報（ＶＩＣＳ）の案内をする・しない、がある。（ａ）、（ｂ１）、（ｂ２）、（ｃ）は任意の組み合わせが選択可能である。
地図表示制御部はユーザにより画面タッチ式のスクロールキーがタッチされて地図スクロールが指示されると、地図データを用いて現在位置から一定以上の速度で高速に地図スクロールさせながら地図画像を表示部に表示させ、地図スクロールが指示されている間に、事前にユーザにより選択された地図スクロール一時停止条件に合致すると、一時停止時間Ｔｓだけ地図スクロールを一時停止させる。Ｔｓが過ぎたあとまだ地図スクロールの指示が継続していれば再び地図スクロールを再開する。
地図スクロール一時停止中、案内情報出力部は、事前にユーザにより選択された一時停止条件が（２）、（３）であり一時停止中動作条件の（ｂ１）が「する」のとき、一時停止した対象の地理的特徴地点またはユーザ指定地点の名称、表示地図の中心から一時停止した対象の地理的特徴地点またはユーザ指定地点までの距離と方向の案内情報を画面下部の案内情報表示領域に表示出力させ、一時停止条件が（２）、（３）であり一時停止中動作条件の（ｂ２）が「する」のとき、一時停止した対象の地理的特徴地点またはユーザ指定地点の名称、表示地図の中心から一時停止した対象の地理的特徴地点またはユーザ指定地点までの距離と方向を音声合成してスピーカ出力させる。これにより、一時停止した地図がどの領域かより認識し易くなる。
また、地図スクロール一時停止中、ビープ音出力部は、事前にユーザにより選択された一時停止中動作条件の（ａ）が「する」のとき、ビープ音を出力させ一時停止中であることをユーザに告知し、地図表示制御部は事前選択された一時停止中動作条件の（ｃ）が「する」のとき、画面の地図上に道路交通情報を重ねて表示させる。これにより、一時停止した表示地図領域での道路事情を簡単に把握できる。
【実施例１】
【０００９】
図２は本発明の一つの実施例に係るカーナビゲーション装置の構成を示すブロック図である。
１は車両の現在地と現在方位を衛星航法により定期的に測位するＧＰＳ受信部、２は道路交通情報（ＶＩＣＳ情報）を道路交通情報センタから受信する道路交通情報受信部、３は地図データを記憶した地図データ記憶部であり、地図データには縮尺別（全国図、地方図、地域図、詳細図）の地図描画用データのほか、ガソリンスタンド、コンビニエンスストア、レジャー施設、飲食店、会社、都道府県庁・市町村役場・ターミナル駅・高速道路のインターチェンジとサービスエリアなど各種の場所の名称と位置、都道府県及び市町村郡単位の行政地域の名称及び境界線位置、湖の名称と湖畔線位置、主要河川の名称と河畔線位置を示す付属データが含まれている。４は地図画像を表示する表示部であり、画面４Ａを有する（画面サイズはここでは横×縦＝２０ｃｍ×１０ｃｍとする）。表示部４にはナビゲーションモードキー、地図縮尺変更キー、メニュー呼び出しキー等を有するキー入力部４Ｂ、メニュー呼び出しキーの操作で画面に表示された各種メニューから所望項目をタッチして選択操作をしたり、画面の地図上の任意点をタッチして地図スクロールモードオン操作をしたり、地図スクロールモード下で画面に表示される８方向スクロールキー（８方向スクロールボタンともいう。図１０、図１１の符号５ａ乃至５ｈ参照）をタッチして地図スクロール指示操作をするための画面タッチ式入力部４Ｃが付設されている。キー入力部４Ｂと画面タッチ式入力部４Ｃにより、ナビゲーションモードオン操作、地図縮尺変更操作、地図スクロール指示操作のほか、地図スクロール一時停止条件の設定操作、地図スクロール一時停止中動作条件の設定操作、ユーザ指定地点（施設または場所）の登録操作、ナビゲーションモード時の道路交通情報案内モードのオン・オフ操作ができるようになっている。６は地図スクロール一時停止条件の設定操作、地図スクロール一時停止中動作条件の設定操作、ユーザ指定地点（施設または場所）の登録操作、ナビゲーションモード時の道路交通情報案内モードのオン・オフ操作、地図縮尺の選択操作等を行う手元操作器、７は手元操作器からの操作情報を受信するリモコン受信部、８は地図スクロール条件記憶部であり、ユーザの設定した地図スクロール一時停止条件、地図スクロール一時停止中動作条件、一時停止時間（Ｔｓ）、最大一時停止回数（ｎ）を記憶する。
【００１０】
地図スクロール条件記憶部８に記憶される地図スクロール一時停止条件、一時停止中動作条件、地図スクロール一時停止時間（Ｔｓ）、最大一時停止回数（ｎ）はユーザが選択設定可能であり、一時停止条件として、（１）スクロールと一時停止をユーザ設定時間間隔（Ｔｉ）で機械的に行う（２）スクロールされている地図上の都道府県の行政地域の境界、詳細地図存在領域の境界、高速道路のインターチェンジとサービスエリア、都道府県庁、ターミナル駅、湖畔と河畔の種目からユーザが選択した１以上の地理的特徴箇所が表示地図領域の中心から一定距離に来たときに一時停止する（３）スクロールされている地図上のユーザ指定地点が表示地図領域の中心から一定距離に来たときに一時停止する、が選択できる。（１）を選択したときは同時に（２）または（３）の選択はできない。（２）または（３）は（１）と同時選択することはできないが、（２）と（３）を同時に選択可能である。また、一時停止中動作条件には、（ａ）一時停止中であることをビープ音でユーザに告知する・しない（ｂ１）一時停止条件が（２）または（３）または（２）と（３）の両方の場合に一時停止した対象の地理的特徴箇所またはユーザ指定地点の名称、表示地図中心からの実距離と方向の案内情報を表示出力する・しない（ｂ２）一時停止条件が（２）または（３）または（２）と（３）の両方の場合に一時停止した対象の地理的特徴箇所またはユーザ指定地点の名称、表示地図の中心からの距離と方向の案内情報を音声出力する・しない（ｃ）一時停止中に道路交通情報（ＶＩＣＳ）の案内をする・しない、がある。（ａ）、（ｂ１）、（ｂ２）、（ｃ）は任意の組み合わせが選択可能である。
【００１１】
９と１０は各々１画面分の画像記憶領域を有する第１、第２画像記憶部であり、第１画像記憶部９には地図画像が描画され、第２画像記憶部１０には地図画像以外の各種メニュー画像等が描画される。１１は合成部であり、通常は画像記憶部９の地図画像を表示部４へ出力し、画像記憶部１０にメニュー画像等が描画されると、画像記憶部９の地図画像の上に画像記憶部１０のメニュー等の画像を重ねて表示部４へ出力する。１２はユーザ指定地点の名称と位置座標を複数組記憶可能なユーザ指定地点記憶部、１３は地図表示制御部であり、ナビゲーションモード時は、ＧＰＳ受信部１で測位された現在地に基づき地図データ記憶部３に記憶された所定の縮尺の地図描画用データを用いて現在地を中心とし、北を上向きとした地図画像を現在方位を向けた現在位置マーク及びユーザ指定地点マーク付で第１画像記憶部９に描画する（道路交通情報案内モードオン中は道路交通情報受信部２で受信された道路交通情報の内、第１画像記憶部９に記憶された地図領域に入る渋滞、通行止め等のマークを重ねて描画する）。地図スクロールモード時は、画面に表示されたスクロールキー５ａ乃至５ｈの一つがタッチされて地図スクロールが指示されると（ここでは、スクロールキーのタッチが継続されている間、スクロールの指示が継続し、タッチが解放されるとスクロールの指示が停止するものとする）、後述する全体制御部からのスクロール開始指令に基づき周期的に、所定の初期位置（ユーザが地図スクロールモードに移行させるためにタッチした地図上の経度、緯度の位置座標）からタッチされた方向へ一定距離（画面上の一定距離）ずつ移動したカーソル座標を計算し、地図データ記憶部３に記憶された地図描画用データを用いてカーソル座標を中心とする地図画像（現在地マーク、カーソルマーク、ユーザ指定地点マーク付）を北を上向きにして第１画像記憶部９に描画する処理を繰り返すことで、一定速度以上の高速で表示部４の地図をスクロールさせる（画面の地図はタッチ方向とは反対方向へ移動）。スクロールキーのタッチが解放されてスクロール指示が止まると、全体制御部からのスクロール停止指令に基づき地図画像の書き換えを止める。なお、スクロール中の地図画像には道路交通情報案内モードオンであっても道路交通情報は付加されない。
【００１２】
但し、地図スクロールが指示されている間（スクロールキーのタッチが継続している間）であっても、地図表示制御部１３は、後述する全体制御部から第１の一時停止指令を受けると、第１画像記憶部９の地図画像の書き換えを一時的に停止して地図スクロールを一時停止し、画面に静止した地図を表示させ、第１の一時停止解除指令を受けると、再び地図スクロールを再開する。全体制御部から第２の一時停止指令を受けると、第１画像記憶部９の地図画像の書き換えを一時的に停止し当該地図領域に入る道路交通情報の渋滞マーク、通行止めマークを重ねて描画し、画面に静止した地図を道路交通情報付で表示させ、第２の一時停止解除指令を受けると、再び地図スクロールを再開する。
【００１３】
１４は案内情報生成部であり、地図スクロールモード時で地図スクロール中は全体制御部から現在地の地名データ、現在地とカーソル座標間の実距離データ、カーソル座標から見た現在地の方位データを入力し、第２画像記憶部１０の下部の左側所定の領域と右側所定の領域に各々現在地地名、現在地−カーソル座標間実距離とカーソル座標から現在地を見た方位マークを描画し、画面下部の名称表示枠（図１０の符号Ａ参照）に現在地地名、距離・  方向表示枠（図１０の符号Ｂ参照）に現在地−カーソル座標間実距離とカーソル座標から現在地を見た方位マークを表示させる。地図スクロールモード時で地図スクロール一時停止中は全体制御部から別途、一時停止した対象の地理的特徴箇所またはユーザ指定地点の名称、一時停止した対象の地理的特徴箇所またはユーザ指定地点とカーソル座標間の実距離、カーソル座標から一時停止した対象の地理的特徴箇所またはユーザ指定地点を見た方位データを入力したときに、第２画像記憶部１０の下部の左側所定の領域と右側所定の領域に各々、一時停止した対象の地理的特徴箇所またはユーザ指定地点の名称、一時停止した対象の地理的特徴箇所またはユーザ指定地点とカーソル座標間の実距離とカーソル座標から一時停止した対象の地理的特徴箇所またはユーザ指定地点を見た方位マークを描画し、画面下部に表示させたり、一時停止した対象の地理的特徴箇所またはユーザ指定地点の名称、一時停止した対象の地理的特徴箇所またはユーザ指定地点とカーソル座標間の実距離とカーソル座標から一時停止した対象の地理的特徴箇所またはユーザ指定地点を見た方位を音声合成し、スピーカ１５から音響再生させたりする。
【００１４】
１６はビープ音生成部であり、地図スクロールモード時で地図スクロール一時停止中、全体制御部からビープ音出力指令を入力すると、ビープ音を合成し、スピーカ１５から出力させる。１７はマイコン構成の全体制御部であり、キー入力部４Ｂと画面タッチ式入力部４Ｃによるユーザ操作、或いは手元操作器６のユーザ操作で選択された縮尺や道路交通情報案内モードオン・オフの状態を内蔵メモリ（図示せず）に登録したり、ユーザ操作で指定された施設、場所の名称と位置座標をユーザ指定地点記憶部１２に登録したり、ユーザ操作で設定された地図スクロール一時停止条件、地図スクロール一時停止中動作条件、地図スクロール一時停止時間（Ｔｓ）、最大一時停止回数（ｎ）を地図スクロール制御情報記憶部８に登録する。また、電源オン直後とナビゲーションモードキーが操作がされたときナビゲーションモードをオンし、地図表示制御部１３に現在地を中心とし現在方位を上に向けた現在位置マーク、ユーザ指定地点マーク付の地図（道路交通情報受信モードオンであれば渋滞、通行止め等の道路交通情報マーク付）の表示をさせる。また、地図スクロールモードオフ下で画面の地図上の任意点がタッチされて地図スクロールモードオン操作がされたとき地図スクロールモードをオンし、タッチ点の画面座標を地図表示制御部１３に与えて地図上でのタッチ点の位置座標（経度、緯度）をカーソル座標の初期値として、カーソル座標を中心とする地図画像を現在位置マーク、カーソルマーク、ユーザ指定地点マーク付で描画させる一方、第２画像記憶部１０の中央に８方向のスクロールキー（スクロールボタン）を描画し、合成部１１により地図画像の上にスクロールキーを合成させて画面４Ａに表示させる。その後、スクロールキー５ａ乃至５ｈのいずれかがタッチされて地図スクロールが指示されると、タッチ方向の地図スクロール開始指令を地図表示制御部１３に与えて高速でスクロールする地図表示をさせ、タッチが解放されてスクロール指示が終わると、スクロール停止指令を地図表示制御部１３に与えて地図スクロールを止めさせる。
【００１５】
スクロールキーのタッチ状態が続き地図スクロールの指示が継続している間、全体制御部１７はユーザの設定した一時停止条件に従い、地図表示制御部１３を制御して地図スクロールと一時停止を交互に繰り返させる。一時停止条件が前記（１）の場合は、地図スクロール開始指令を与えたあと、地図スクロールの指示が継続されている状態でＴｉ経過すると地図表示制御部１３に地図スクロール一時停止指令を与え、地図スクロールの指示が継続したままＴｓ経過すれば一時停止解除指令を与え、以下、同様に繰り返す。一時停止条件が前記（２）の場合は、地図スクロール開始指令を与えたあと、地図データとカーソル座標を比較し、地図スクロールの指示が継続している間にスクロールされている地図上の都道府県の行政地域の境界、詳細地図存在領域の境界、高速道路のインターチェンジとサービスエリア、都道府県庁、ターミナル駅、湖畔と河畔の種目からユーザが選択した地理的特徴箇所がカーソル座標（表示地図領域の中心）から所定の一定範囲（ここでは地図表示画面で中心から１５ｃｍに相当する実距離の範囲とする。以下、一時停止条件範囲ともいう）に入る位置に来たとき、一時停止指令を与え、地図スクロールの指示が継続したままＴｓ経過すれば一時停止解除指令を与え、以下、同様に繰り返す。一時停止条件が前記（３）の場合は、地図スクロール開始指令を与えたあと、地図データとカーソル座標を比較し、地図スクロールの指示が継続している間にスクロールされている地図上のユーザ指定地点カーソル座標から所定の一定範囲に入る位置に来たとき、一時停止指令を与え、地図スクロールの指示が継続したままＴｓ経過すれば一時停止解除指令を与え、以下、同様に繰り返す。一時停止条件が（２）と（３）の両方の場合は、地図スクロール開始指令を与えたあと、地図データとカーソル座標を比較し、地図スクロールの指示が継続している間にスクロールされている地図上の都道府県の行政地域の境界、詳細地図存在領域の境界、高速道路のインターチェンジとサービスエリア、都道府県庁、ターミナル駅、湖畔と河畔の種目からユーザが選択した地理的特徴箇所、またはスクロールされている地図上のユーザ指定地点がカーソル座標から一定範囲に入る位置に来たとき、一時停止指令を与え、地図スクロールの指示が継続したままＴｓ経過すれば一時停止解除指令を与え、以下、同様に繰り返す。
【００１６】
また、全体制御部１７は地図スクロール中は、地図表示制御部１３から現在地とカーソル座標を入力し、地図データを参照して現在地地名を判別するとともに現在地−カーソル座標間の実距離、カーソル座標から現在地を見た方位を計算して案内情報生成部１４に出力し、現在地地名、現在地−カーソル座標間の実距離、カーソル座標から現在地を見た方位をスクロール中の地図画面下部の左右に表示させる。一方、地図スクロール一時停止中は、一時停止中動作条件に従い、前記（ｃ）の項目が「する」であれば、地図表示制御部１３を制御して一時停止中の地図上に渋滞マーク、通行止めマーク等の道路交通情報を重ねて表示させ、前記（ａ）の項目が「する」であれば、ビープ音生成部１６を制御してビープ音を出力させる。一時停止条件が前記（２）または（３）または（２）と（３）の両方であり、一時停止中動作条件の前記（ｂ１）の項目が「する」の場合、地図データまたはユーザ指定地点記憶部１２を参照して今回一時停止した対象の地理的特徴箇所またはユーザ指定地点の名称を判別するとともに、カーソル座標から見た今回一時停止した対象の地理的特徴箇所またはユーザ指定地点までの距離と方位を計算して案内情報生成部１４に出力し、今回一時停止した対象の地理的特徴箇所またはユーザ指定地点の名称、カーソル座標から見た今回一時停止した対象の地理的特徴箇所またはユーザ指定地点までの距離と方位を一時停止中の地図画面下部の左右に表示させる。一時停止条件が（２）または（３）または（２）と（３）の両方であり、一時停止中動作条件の前記（ｂ２）の項目が「する」の場合、今回一時停止した対象の地理的特徴箇所またはユーザ指定地点の名称、カーソル座標から見た今回一時停止した対象の地理的特徴箇所またはユーザ指定地点までの距離と方位を音声合成出力させる。
【００１７】
図３乃至図６は全体制御部１７の制御処理を示すフローチャート、図７、図８は地図スクロール条件設定用メニューの表示例を示す説明図、図９は車両現在地と目的地を含む広域の地理と画面の地図表示領域との関係を示す説明図、図１０、図１１は画面表示例の説明図であり、以下、これらの図を用いて上記した実施例の動作を説明する。なお、予め、全体制御部１７の内蔵メモリ（図示せず）に地域図に相当する縮尺が事前登録されており、道路交通情報案内モードはオフしているものとする。また、ユーザ指定地点記憶部１２には既にユーザ指定地点の名称（施設名、地名等）と位置座標を組にしたユーザ指定地点情報が複数組登録されているものとする。
【００１８】
（Ｉ）ナビゲーションモード
電源オンで全体制御部１７はナビゲーションモードをオン、地図スクロールモードをオフとし（図３のステップＳ１）、道路交通情報案内モードオフ中なので地図表示制御部１３に地域図の縮尺による道路交通情報無しのナビゲーション指令を与える。すると、地図表示制御部１３はＧＰＳ受信部１から定期的に現在地と現在方位のデータを入力し、地域図の地図データを用いて現在地を中心とし、北を上向きとした地図画像を第１画像記憶部９に描画するとともに、ユーザ指定地点記憶部１２に当該地図画像の領域に入るユーザ指定地点が存在するときは更に地図画像上の該当する位置にユーザ指定地点マークを重ねて描画し、地図画像の中心に現在方位を向けた現在地マークを描画する。地図画像は合成部１１により表示部４へ出力され、画面４Ａに現在地周辺の地図が表示される（ステップＳ２、Ｓ３）。車両の移動で現在地が変化すると、それに応じて画面４Ａの地図も常に現在地が中心に来るように移動する。例えば、手元操作器６の操作で道路交通情報案内モードのオン・オフ操作をすると全体制御部１７は道路交通情報案内モードをオン・オフし（ステップＳ５、Ｓ６）、道路交通情報案内モードオン中は地図表示制御部１７に道路交通情報有りのナビゲーション指令を与える。地図表示制御部１７は道路交通情報有りのナビゲーション指令が与えられると、地図画像を描画する際、道路交通情報受信部２で受信された内、地図画像の領域に入る渋滞マーク、通行止めマーク等を地図画像に重ねて描画し、画面４Ａに道路交通情報マーク付の地図を表示させる（ステップＳ４）。また、縮尺変更操作をすると、全体制御部１７は内蔵メモリに変更後の縮尺を登録し、地図表示制御部１３に変更後の縮尺によるナビゲーション指令を与え、地図画像の縮尺を変更させる（ステップＳ７、Ｓ８）。
【００１９】
（ＩＩ）指定地点の追加
ユーザが或る所望施設、取引先の会社につき、地図上に地点マークを付して表示させたい場合、手元操作器６で例えば電話番号を入力して地点の登録操作をすると、全体制御部１７は地図データの付随データを参照して所望施設、取引先の会社の名称と位置座標を検索し、所望施設、取引先の会社の名称と位置座標を組にしたユーザ指定地点情報をユーザ指定地点記憶部１２に追加する（ステップＳ９、Ｓ１０）。走行中に手元操作器６で現在地の登録操作をすると、全体制御部１７は地図データの付随データを参照して現在地の地名と位置座標を組にしたユーザ指定地点情報をユーザ指定地点記憶部１２に追加する（ステップＳ９、Ｓ１０）。
【００２０】
（ＩＩＩ）地図スクロール条件の設定
ユーザが手元操作器６で地図スクロール条件設定メニューの呼び出し操作をすると、全体制御部１７は、第２画像記憶部１０に地図スクロール条件設定メニューを描画し、合成部１１により第１画像記憶部９の地図画像の上に重ねて表示部４へ出力させて図７（１）の如く画面表示させる。ユーザが「地図スクロール一時停止条件」を選択すると、地図スクロール一時停止条件設定メニューを描画して図７（２）の如く画面表示させる。メニューからは一時停止条件として（１）、（２）、（３）のいずれか１つ、または（２）、（３）の両方を選択可能となっており、（１）を選択する場合、図７（３）のサブメニューにより、連続スクロール時間（Ｔｉ−Ｔｓ）の選択もできる（Ｔｓは別途選択さるので、結局Ｔｉが選択されることになる）。図７（２）で、（２）を選択する場合、図７（４）のサブメニューにより、都道府県の行政地域の境界、詳細地図存在領域の境界、高速道路のインターチェンジとサービスエリア、都道府県庁、ターミナル駅、湖畔と河畔の種目から任意の１または複数を選択できる。手元操作器６で所望の一時停止条件を選択すると、全体制御部１７は地図スクロール条件記憶部８に設定登録する。図７（１）の地図スクロール条件設定メニューに戻し、ユーザが「地図スクロール一時停止中動作条件」を選択すると、全体制御部１７は地図スクロール一時停止中動作条件設定メニューを描画して図８（１）の如く画面表示させる。メニューでは、（ａ）、（ｂ１）、（ｂ２）、（ｃ）につき、独立して「する」、「しない」の選択をでき、手元操作器６で所望の一時停止中動作条件を選択すると、全体制御部１７は地図スクロール条件記憶部８に設定登録する。地図スクロール条件設定メニューから「地図スクロール一時停止時間」を選択すると、全体制御部１７は地図スクロール一時停止時間選択メニューを描画して図８（２）の如く画面表示させ、ユーザが所望の一時停止時間を選択すると、全体制御部１７は地図スクロール条件記憶部８に設定登録する。地図スクロール条件設定メニューから「最大一時停止回数」を選択すると、全体制御部１７は最大一時停止回数選択メニューを描画して図８（３）の如く画面表示させ、ユーザが所望の回数を選択すると、全体制御部１７は地図スクロール条件記憶部８に設定登録する。このようにして一時停止条件、一時停止中動作条件、一時停止時間・最大停止回数の設定が終り、手元操作器６で終了操作をすると、全体制御部１７はメニュー画像を消し、元のナビゲーション動作状態に戻す（以上、ステップＳ１１、Ｓ１２）。
【００２１】
（ＩＶ）地図スクロールモード・・一時停止条件（１）の場合
例えば、地域図の縮尺の地図データを用いて現在地を中心とする地図表示がされている状態（ナビゲーションモード）で、現在地より概略東方にある所望の目的地がどこにあるか地図上で探索したい場合、まず、画面タッチ式入力部４Ｃにより画面の地図上の任意点をタッチする。すると、全体制御部１７はナビゲーションモードをオフし、地図スクロールモードをオンし、タッチ点の画面座標を含む地図スクロール準備指令を地図表示制御部１３に与える（図４のステップＳ１５、Ｓ１６）。地図スクロール準備指令を受けた地図表示制御部１３はタッチ点の画面座標から地図上でのタッチ点の位置座標（図９の符号Ｓ参照）を求めてカーソル座標に設定し（ステップＳ１７）、続いて地域図の地図データを用いてカーソル座標を中心とする北を上向きとした１画面分の地図画像を現在地マーク、ユーザ指定地点マーク、カーソルマークとともに第１画像記憶部９に描画する（ステップＳ１８。なお、この地図スクロール準備処理では道路交通情報案内モードがオンであれば、渋滞マーク、通行止めマーク等の道路交通情報マークも付加する）。一方、全体制御部１７は第２画像記憶部１０の中央に８方向スクロールキーを描画し、合成部１１により地図画像の上に合成させて画面表示させる（ステップＳ１９）。画面にはカーソルマークを中心とする地図画像と、該画像の上に重ね合わされたスクロールキー５ａ乃至５ｈが表示される。ユーザが東方向のスクロールキー５ａにタッチすることで東方向の地図を見るための地図スクロールを指示し、或る時間タッチを続けて地図スクロールの指示を続けたとする。まず、スクロールキー５ａにタッチした時点で、全体制御部１７は表示地図領域を東方向へ移動させる地図スクロール開始指令を地図表示制御部１３に与え、地図表示制御部１３は地図スクロール開始指令が与えられた時点のカーソル座標から周期的に東方へ所定の単位距離ΔＬずつカーソル座標を可変させながら地域図の地図データを用いてカーソル座標を中心とし、北を上向きとした地図画像を現在地マーク、中心のカーソルマーク、ユーザ指定地点マーク付で第１画像記憶部９に描画する処理を（Ｔｉ−Ｔｓ）の時間繰り返すことで一定速度以上の高速に西方へスクロールする地図画像を表示させる（ステップＳ２０〜Ｓ２２、Ｓ２４、図５のステップＳ３０、Ｓ２１、Ｓ２２。地図スクロール中は道路交通情報案内モードがオンであっても、渋滞マーク、通行止めマーク等の道路交通情報マークは付加しない）。なお、全体制御部１７は地図の連続スクロール中、地図データから現在地の地名を検索するとともに現在地−カーソル座標間の実距離とカーソル座標から現在地を見た方位を計算し、案内情報生成部１４へ出力し、現在地地名を第２画像描画部１０の下部の左側所定領域に描画させ、現在地−カーソル座標間の実距離とカーソル座標から現在地を見た方位マークを第２画像描画部１０の下部の右側所定領域に描画させ、合成部１１により地図画像の上に合成させる（図４のステップＳ２３。図１０（１）参照）。スクロールキー５ａのタッチによる地図スクロールの指示が（Ｔｉ−Ｔｓ）継続した時点で、全体制御部１７は図５のステップＳ３０でＹＥＳと判断し、地図スクロールの指示が継続して���る間の一時停止回数がｎに達していないので（ステップＳ３１でＮＯ）、一時停止中動作条件として（ｃ）が「する」であれば、第２一時停止指令を地図表示制御部１３に与え、当該指令に従い地図表示制御部１３は地図画像の書き換えを止め、地図画像の領域に入っている渋滞マーク、通行留めマーク等を付加し、道路交通情報付の静止した地図画像を表示させる（ステップＳ３２、Ｓ３３）。一時停止中動作条件として（ｃ）が「しない」であれば、第１一時停止指令を地図表示制御部１３に与え、当該指令に従い地図表示制御部１３は地図画像の書き換えを止め、地図スクロールを一時停止させる（ステップＳ３４）。地図スクロール一時停止中、全体制御部１７は、一時停止中動作条件として（ａ）が「する」であれば、ビープ音生成部１６にビープ音を合成出力させ、ユーザに一時停止中であることを告知する（ステップＳ３５、Ｓ３６）。ユーザは、ビープ音から仮に画面から目を離していても地図スクロールが一時停止中であることが判り、また画面の静止地図を見てどこまでスクロールが進んだか、所望の目的地との位置関係などを正確に把握することができる。
【００２２】
まだ、所望の目的地が東方にあり、ユーザがスクロールキー５ａのタッチを続けて地図スクロールの指示が続いているとき、一時停止開始後Ｔｓ経過した時点で全体制御部１７は一時停止解除指令を地図表示制御部１３に与え、画面の地図が西方へ移動する高速な地図スクロールを再開させる。ビープ音は停止させる（ステップＳ３７〜Ｓ３９、Ｓ４０、図４のステップＳ２１）。以下、同様にして、表示地図領域を東方向へ移動するための地図スクロール指示が継続している間、Ｔｉ経過する毎にＴｓだけ地図スクロールを一時停止させる。但し一時停止は最大ｎ回までである（図５のステップＳ３１）。これにより、定期的に、ユーザは静止した地図画像によりスクロールがどこまで進んだか、所望の目的地と地図画像との位置関係などを正確に把握でき、所望の目標地が地図画像に現われたか否か容易に判別できる。所望の目的地が地図画像に現われたところで、スクロールキー５ａのタッチを解放し、地図スクロールの指示を止めると、全体制御部１７はスクロール停止指令を地図表示制御部１３に与えて地図スクロールを止めさせる（図４のステップＳ２５。図１０（３）参照））。これにより、所望の目標地周辺の地図を見ることができる。若し、更に、北側の地図を見たい場合は、スクロールキー５ｃをタッチすれば、前述と全く同様にして定期的に一時停止しながら画面の地図が南方へ移動する地図スクロールが行われる。
【００２３】
（Ｖ）地図スクロールモード・・一時停止条件（２）、（３）の場合
一時停止条件として（２）のターミナル駅と（３）が設定されていた場合、スクロールモードオン下でスクロールキー５ａのタッチによる表示地図領域を東方向へ移動する地図スクロールの指示を受けて画面の地図が西へ移動する地図スクロール中、全体制御部１７は地図データの付属データとカーソル座標を比較し、カーソル座標から画面で１５ｃｍに相当する実距離範囲（以下、一時停止条件範囲という）にターミナル駅が来たか、またはユーザ指定地点記憶部１２に記憶されたいずれかのユーザ指定地点が一時停止条件範囲に来たかのチェックをし、例えば、地図スクロールの指示が継続している間にターミナル駅Ａが一時停止条件範囲に来たとき（図９の符号Ｑ参照）、全体制御部１７は一時停止中動作条件として（ｃ）が「する」であれば、第２一時停止指令を地図表示制御部１３に与え、当該指令に従い地図表示制御部１３は地図画像の書き換えを止め、地図画像の領域に入っている渋滞マーク、通行留めマーク等を付加し、道路交通情報付の静止した地図画像を表示させる（ステップＳ３２、Ｓ３３）。一時停止中動作条件として（ｃ）が「しない」であれば、第１一時停止指令を地図表示制御部１３に与え、当該指令に従い地図表示制御部１３は地図画像の書き換えを止め、地図スクロールを一時停止させる（ステップＳ３４）。地図スクロール一時停止中、全体制御部１７は、一時停止中動作条件として（ａ）が「する」であれば、ビープ音生成部１６にビープ音を合成出力させ、ユーザに一時停止中であることを告知する（ステップＳ３５、Ｓ３６）。また、地図スクロールを一時停止したとき、全体制御部１７は、一時停止中動作条件として（ｂ１）が「する」であれば、地図データの付属データを参照して今回一時停止した対象のターミナル駅Ａの名称を判別するとともに、カーソル座標からターミナル駅Ａまでの距離と方位を計算して案内情報生成部１４に出力し、ターミナル駅Ａの名称を第２画像描画部１０の下部の左側所定領域に描画させ、カーソル座標−ターミナル駅間の実距離とカーソル座標からターミナル駅Ａを見た方位マークを第２画像描画部１０の下部の右側所定領域に描画させ、合成部１１により地図画像の上に合成させる（ステップＳ３６、図６のステップＳ５０、Ｓ５１。図９の符号Ｙ、図１０（２）参照）。更に、一時停止中動作条件として（ｂ２）が「する」であれば、今回一時停止した対象のターミナル駅Ａの名称、カーソル座標からターミナル駅Ａまでの距離と方位を案内情報生成部１４に出力し、ターミナル駅Ａの名称、カーソル座標−ターミナル駅間の実距離とカーソル座標からターミナル駅Ａを見た方位を音声合成出力させる（ステップＳ５２、Ｓ５３）。ユーザはビープ音により仮に画面から目を離していても地図スクロールが一時停止したことが判り、またターミナル駅周辺はユーザ周知な場合が多いので一時停止した地図画像を見てどこの地域か容易に認識でき、所望の目的地との位置関係の把握も容易にできる。とくに今回一時停止した対象の駅名、距離、方向の表示情報により、一時停止した地図画像の地域、所望の目的地との位置関係を直ぐに理解でき、今回一時停止した対象の駅名、距離、方向の音声情報により、仮に画面から目を離していても一時停止した地図画像の地域、所望の目的地との位置関係を直ぐに理解できる。
【００２４】
一時停止したあともユーザがスクロールキー５ａをタッチしたままＴｓ経過すると、全体制御部１７はビープ音を出力していればビープ音生成部１６にビープ音停止指令を与えて停止させ、今回一時停止した対象の駅名、距離、方向の音声出力をしていれば案内情報生成部１５に音声出力停止指令を与えて停止させ（図５のステップＳ３７、３９）、一時停止解除指令を地図表示制御部１３に与え画面の地図が西方へ移動する地図スクロールを再開させるが（ステップＳ２１へ移行）、ユーザが所望の目的地はターミナル駅Ａの北東であると判っており、スクロールキー５ａのタッチを解放し、スクロールキー５ｂのタッチをすると、一旦地図スクロールが止まったあと今度は画面の地図が西南へ移動する地図スクロールが開始する（ステップＳ２４、Ｓ２５、Ｓ２０、Ｓ２１、Ｓ２２）。所望の目的地が地図画像に現われたところで、スクロールキー５ｂを解放すれば、地図スクロールが止まり、目的地周辺の地図を確認できる（図９の符号Ｚ、図１０（３）参照）。地図スクロールモードを解除したい場合、キー入力部４Ｂのナビゲーションキーを押圧すれば、全体制御部１７は地図スクロールモードをオフし（この際、画面のスクロールキーの表示が消される）、ナビゲーションモードをオンして元のナビゲーションモードに戻る（ステップＳ２６、Ｓ２７）。
【００２５】
なお、（２）の一時停止条件としては、都道府県の行政地域の境界、詳細地図存在領域の境界、高速道路のインターチェンジとサービスエリア、都道府県庁、ターミナル駅、湖畔・河畔の種目からユーザが１以上選択でき、例えば、ターミナル駅に加えて詳細地図存在領域の境界が選択されていたとき、地図スクロール中に詳細地図存在領域の境界が一時停止条件範囲に掛かったとき、地理的特徴箇所の名称として一時停止条件範囲に掛かった詳細地図名称を例えば「○○市街地詳細地図」の如く表示すれば良い（図１１参照）。これにより、ユーザは詳細地図の存在が判り、該詳細地図存在領域に目的地があれば地域図の縮尺のまま詳細地図領域まで地図スクロールし、縮尺を変えて詳細地図を表示させれば良い。
また、キー入力部４Ｂと画面タッチ式入力部４Ｃにより、地図縮尺変更操作、地図スクロール一時停止条件の設定操作、地図スクロール一時停止中動作条件の設定操作、ユーザ指定地点（施設または場所）の登録操作、ナビゲーションモード時の道路交通情報案内モードのオン・オフ操作をしても良い。
【００２６】
この実施例によれば、地図スクロールモード下でスクロールキー５ａ乃至５ｈのタッチによる地図スクロールの指示に基づき地図の連続スクロール中に、ユーザの事前選択した一時停止条件に合致した状態になると、自動的に地図スクロールが一時停止するためユーザが地図スクロール途中でスクロールキーのタッチを解放して地図スクロールの指示を解除しなくても、静止した地図画面の地図情報を正確に見てどこまでスクロールが進んだか、所望の目標地点が表示地図の中に入っていないか容易に正しく確認でき、所望の目標地点の探索操作を容易に行える。
また、一時停止条件として、都道府県の行政地域の境界、詳細地図存在領域の境界、高速道路のインターチェンジとサービスエリア、都道府県庁、ターミナル駅、湖畔・河畔の地理的特徴箇所またはユーザ指定地点が表示地図領域の中心から所定の一定範囲に入ったときに地図スクロールを一時停止させてユーザ周知の領域で地図画像を一時停止させることができるので、一時停止した地図画像がどの領域でどこまでスクロールが進んだか、所望の目標地点が表示地図の中に入っていないかをより簡単に把握できる。加えて、地理的特徴箇所またはユーザ指定地点が表示地図領域の中心から所定の一定範囲に入ったときに地図スクロールを一時停止させたとき、案内情報生成部１４により、地理的特徴箇所またはユーザ指定地点の名称、現在地からの距離と方向の案内情報を表示出力または音声出力させることができるので、一時停止した地図がどの領域かより認識し易くなり、地理的特徴箇所またはユーザ指定地点の名称、現在地からの距離と方向の案内情報を音声出力させることができるので、ユーザが画面を見ていなくてもどこまでスクロールが進んだか容易に把握できる。
また、地図スクロール一時停止中、ビープ音生成部１６によりビープ音を生成させて一時停止中であることをユーザに音で告知できるので、ユーザは画面を見ていなくても一時停止したタイミングが判る。また、地図スクロール一時停止中に道路交通情報を合わせて表示させることができ、これにより、一時停止した表示地図領域での道路事情を簡単に把握できる。
また、一時停止時間Ｔｓ、一時停止周期Ｔｉ、最大一時停止回数ｎもユーザが自在に設定できるので、利便性が高い。
【００２７】
なお、上記した実施例では、一時停止条件（２）、（３）において、スクロール中の地図上で見てユーザの選択した地理的特徴箇所またはユーザ指定地点がカーソル座標から画面上で半径１５ｃｍの円に相当する範囲に入ったとき一時停止するようにしたが、本発明何らこれに限定されるものでなく、カーソル座標から画面上で半径１０ｃｍの範囲または半径２０ｃｍの範囲に入ったとき一時停止するようにしたり、或いは地図表示領域に入ったとき、または地図表示領域の境界から１０ｃｍ、１５ｃｍなど一定距離外側の範囲に入ったとき一時停止するようにしても良い。
また、地図スクロール中の移動は一定速度以上の高速で行うようにしたが、可変速としても良く、例えば、最初の地図スクロールを開始したあとと、一時停止が終わり地図スクロールを再開したあと、スクロールの指示が継続している時間の経過とともに連続的または段階的に速度を上げたり、タッチ圧力の大小に応じて速度を連続的または段階的に高低変化させたり、画面中心からタッチ位置までの距離の大小に応じて連続的または段階的に高低変化させても良い。
また、各回の一時停止時間は同じとしたが、地理的特徴箇所またはユーザ指定地点の名称等を音声出力する場合は、その音声出力の完了に要する時間としても良い。
【産業上の利用可能性】
【００２８】
本発明は、カーナビゲーション装置のほか、船舶用ナビゲーション装置、地図検索装置などに適用できる。
【図面の簡単な説明】
【００２９】
【図１】従来の地図スクロール方法の説明図である。
【図２】図２は本発明の一つの実施例に係るカーナビゲーション装置の構成を示すブロック図である（実施例１）。
【図３】図２の全体制御部の制御処理を示すフローチャートである。
【図４】図２の全体制御部の制御処理を示すフローチャートである。
【図５】図２の全体制御部の制御処理を示すフローチャートである。
【図６】図２の全体制御部の制御処理を示すフローチャートである。
【図７】地図スクロール条件設定用の各種メニューの表示例の説明図である。
【図８】地図スクロール条件設定用の各種メニューの表示例の説明図である。
【図９】地図スクロール動作の説明図である。
【図１０】画面表示例を示す説明図である。
【図１１】画面表示例を示す説明図である。
【符号の説明】
【００３０】
１  ＧＰＳ受信部
２  道路交通情報受信部
３  地図データ記憶部
４  表示部
４Ａ  画面
４Ｂ  キー入力部
４Ｃ  画面タッチ式入力部
５ａ〜５ｈ  スクロールキー
８  地図スクロール条件記憶部
９  第１画像記憶部
１０  第２画像記憶部
１１  合成部
１２  ユーザ指定地点記憶部
１３  地図表示制御部
１４  案内情報生成部
１５  スピーカ
１６  ビープ音生成部
１７  全体制御部
【図１】
2006215413.tif 000003
【図２】
2006215413.tif 000004
【図３】
2006215413.tif 000005
【図４】
2006215413.tif 000006
【図５】
2006215413.tif 000007
【図６】
2006215413.tif 000008
【図７】
2006215413.tif 000009
【図８】
2006215413.tif 000010
【図９】
2006215413.tif 000011
【図１０】
2006215413.tif 000012
【図１１】
2006215413.tif 000013